(57)【要約】      （修正有）【課題】コピー機、スキャナ、プリンターもしくは多機能機（ＭＦＰと呼ばれる）のための、コンテンツに基づくアカウンティング方法を提供する。【解決手段】コピー機、スキャナ、プリンターもしくはＭＦＰの管理部、又はコピー機、スキャナ、プリンターもしくはＭＦＰがアクセス可能なネットワークサーバにおいて実行される。文書のコピー、スキャン又は印刷において、管理部は自動的にコピー、スキャン又は印刷さえる文書のコンテンツ情報を抽出して、該コンテンツに基づいて文書をグループ分けし、アカウンティングデータベースを更新する。アカウンティングデータベースは、コンテンツ群に従って使用情報が保存されたユーザーアカウントを含む。コピー及びスキャンされた文書では、テキストコンテンツがＯＣＲ技術を用いて抽出される。印刷された文書では、文書の印刷に使用したデジタルデータからテキスト情報が抽出される。【選択図】図２
2008271534.tif 000002
【特許請求の範囲】
【請求項１】
文書をコピー又はスキャンする画像再生装置を管理する方法であって、
（ａ）前記画像再生装置を用いて前記文書をコピー又はスキャンすることであって、前記文書のデジタル画像を取得することを含む、と；
（ｂ）前記文書のデジタル画像のコンテンツを解析することと；
（ｃ）前記コンテンツの解析に基づいて前記文書をグループ分けすることと；
（ｄ）ユーザーアカウントを含み、各ユーザーアカウントの使用情報をコンテンツ群に従って保存するアカウンティングデータベースを、前記文書のグループ分けに基づいて更新すること、を特徴とする方法。
【請求項２】
工程（ｂ）は、
（ｂ１）前記デジタル画像を領域に分割することと；
（ｂ２）前記デジタル画像に１つ以上のテキスト領域が存在するかどうかを判定することと；
（ｂ３）テキスト領域が存在する場合、前記テキスト領域からテキスト情報を抽出して、該抽出したテキスト情報を解析すること、を有する請求項１に記載の方法。
【請求項３】
工程（ｂ）が、さらに前記デジタル画像の非テキストコンテンツを解析することを有する、請求項２に記載の方法。
【請求項４】
デジタルデータから文書を印刷する画像再生装置を管理する方法であって、
（ａ）前記画像再生装置を用いて前記デジタルデータから前記文書を印刷することと；
（ｂ）前記デジタルデータのコンテンツを解析することと；
（ｃ）前記コンテンツの解析に基づいて前記文書をグループ分けすることと；
（ｄ）ユーザーアカウントを含み、各ユーザーアカウントの使用情報をコンテンツ群に従って保存するアカウンティングデータベースを、前記文書のグループ分けに基づいて更新すること、を特徴とする方法。
【請求項５】
工程（ｂ）は、
（ｂ１）前記デジタルデータに１つ以上のテキストオブジェクトが存在するかどうかを判定することと；
（ｂ２）前記テキストオブジェクトのテキスト情報を解析すること、を有する請求項４に記載の方法。
【請求項６】
工程（ｂ）は、さらに前記デジタルデータの非テキストオブジェクトを解析することを有する、請求項４に記載の方法。
【請求項７】
物理媒体をスキャンして文書のデジタル画像を生成するスキャン部と；
ユーザーアカウントを含み、各ユーザーアカウントの使用情報を文書のコンテンツ群に従って保存するアカウンティングデータベースと；
前記スキャン部が生成したデジタル画像のコンテンツを解析し、前記コンテンツの解析に基づいて前記デジタル画像又はデジタルデータの文書をグループ分けし、前記文書のグループ分けに基づいて前記アカウンティングデータベースを更新する管理部、を有する画像再生装置。
【請求項８】
前記管理部は、前記デジタル画像からテキスト情報を抽出する光学文字認識モジュールを有する、請求項７に記載の画像再生装置。
【請求項９】
さらに、前記スキャン部が生成したデジタル画像から物理媒体に画像を形成する印刷部を有する、請求項７に記載の画像再生装置。
【請求項１０】
供給された文書のデジタルデータから物理媒体に画像を形成する印刷部と、
ユーザーアカウントを含み、各ユーザーアカウントの使用情報を文書のコンテンツ群に基づき保存するアカウンティングデータベースと、
前記印刷部に供給されたデジタルデータを解析し、前記コンテンツの解析に基づき前記デジタルデータの文書をグループ分けし、前記文書のグループ分けに基づいて前記アカウンティングデータベースを更新する管理部、を有する画像再生装置。
【請求項１１】
前記管理部は、前記デジタルデータからテキスト情報を抽出する光学文字認識モジュールを有する、請求項１０に記載の画像再生装置。
【請求項１２】
文書をコピー又はスキャンする画像再生装置を管理する方法であって、
（ａ）前記画像再生装置を用いて前記文書をスキャンして、前記文書のデジタル画像を取得することと；
（ｂ）前記文書のデジタル画像のコンテンツを解析して、所定のコンテンツを検出することと；
（ｃ）前記所定のコンテンツが検出された場合に、警告を発することと；
（ｄ）前記所定のコンテンツが検出されなかった場合に、前記文書のデジタル画像を印刷すること、を有する方法。
【請求項１３】
工程（ｂ）は、
（ｂ１）前記デジタル画像を領域に分割することと；
（ｂ２）前記デジタル画像に１つ以上のテキスト領域が存在するかどうかを判定することと；
（ｂ３）テキスト領域が存在する場合、前記テキスト領域からテキスト情報を抽出し、該抽出したテキスト情報を解析して前記所定のコンテンツを検出すること、を有する請求項１２に記載の方法。
【発明の詳細な説明】
【技術分野】
【０００１】
本発明は、コピー機、スキャナ、プリンター及び／又は多機能機を管理する方法及びソフトウェアに関し、特にコピー機、スキャナ、プリンター及び／又は多機能機において、またはそれらと共に使用されるアカウンティング方法に関する。
【背景技術】
【０００２】
文書の索引作成及び文書管理などの様々な目的に応じて、ソフトウェアプログラムが文書のコンテンツを解析するために用いられている。光学文字認識（ＯＣＲ）技術もまた、文書の画像からテキスト情報を抽出するのに広く用いられている。本発明の実施例では、これらの技術がコピー機、スキャナ、プリンター、又は多機能機（ＭＦＰまたはＡＩＯ（Ａｌｌ−ｉｎ−ｏｎｅ機）と呼ばれることがある、コピー、スキャン及びプリント機能を組み合わせた装置）において実現され、コンテンツに基づくアカウンティングや管理機能、並びに市場調査などのその他の機能が実行される。
【０００３】
従来、印刷ページ数やコピー数の記録などの、比較的単純なアカウンティング機能が、コピー機、スキャナ、プリンター又はＭＦＰにおいて実行可能である。また、コピー機、スキャナ、プリンター又はＭＦＰは、装置へのアクセスに際して、ユーザーアカウントや参照コードなどの特定の情報の提供をユーザーに要求するアクセス制御装置を備えることができ、ユーザー提供の情報を用いてアカウンティングを実行することができる。本発明の実施例では、コピー、スキャン又は印刷された文書のコンテンツに基づいてアカウンティングを実行することによって、このアカウンティング機能が改善される。
【発明の開示】
【発明が解決しようとする課題】
【０００４】
本発明の目的は、コピー機、スキャナ、プリンターまたはＭＦＰのための、コンテンツに基づくアカウンティング方法を提供することである。
【０００５】
本発明の追加的な特徴及び効果は、明細書の以下に記載される。またその一部は、明細書から明らかとなるであろう。あるいは本発明の実施により知るものであってよい。本発明の目的及びその他の効果は、添付の図面並びに明細書及び特許請求の範囲において特に指摘される構造によって、実現され、達成されるであろう。
【課題を解決するための手段】
【０００６】
これら及び／又はその他の目的を達成するために、具現化され広く記載されているように、本発明は、文書をコピーまたはスキャンする画像再生装置を管理する方法を提供するものであり、当該方法は（ａ）前記画像再生装置を用いて前記文書をコピー又はスキャンすることであって、前記文書のデジタル画像を取得することを含む、と；（ｂ）前記文書のデジタル画像のコンテンツを解析することと；（ｃ）前記コンテンツの解析に基づいて前記文書をグループ分けすることと；（ｄ）ユーザーアカウントを含み、各ユーザーアカウントの使用情報をコンテンツ群に従って保存するアカウンティングデータベースを、前記文書のグループ分けに基づいて更新すること、を特徴とする。
【０００７】
また他の側面では、本発明は、デジタルデータから文書を印刷する画像再生装置を管理する方法を提供するものであり、当該方法は、（ａ）前記画像再生装置を用いて前記デジタルデータから前記文書を印刷することと；（ｂ）前記デジタルデータのコンテンツを解析することと；（ｃ）前記コンテンツの解析に基づいて前記文書をグループ分けすることと；（ｄ）ユーザーアカウントを含み、各ユーザーアカウントの使用情報をコンテンツ群に従って保存するアカウンティングデータベースを、前記文書のグループ分けに基づいて更新すること、を特徴とする。
【０００８】
また他の側面では、本発明は画像再生装置を提供するものであり、当該装置は、物理媒体をスキャンして文書のデジタル画像を生成するスキャン部と；ユーザーアカウントを含み、各ユーザーアカウントの使用情報を文書のコンテンツ群に従って保存するアカウンティングデータベースと；前記スキャン部が生成したデジタル画像のコンテンツを解析し、前記コンテンツの解析に基づいて前記デジタル画像又はデジタルデータの文書をグループ分けし、前記文書のグループ分けに基づいて前記アカウンティングデータベースを更新する管理部、を有する。
【０００９】
また他の側面では、本発明は画像再生装置を提供するものであり、当該装置は、供給された文書のデジタルデータから物理媒体に画像を形成する印刷部と、ユーザーアカウントを含み、各ユーザーアカウントの使用情報を文書のコンテンツ群に基づき保存するアカウンティングデータベースと、前記印刷部に供給されたデジタルデータを解析し、前記コンテンツの解析に基づき前記デジタルデータの文書をグループ分けし、前記文書のグループ分けに基づいて前記アカウンティングデータベースを更新する管理部、を有する。
【００１０】
さらに他の側面では、本発明は文書をコピー又はスキャンする画像再生装置を管理する方法を提供するものであり、当該方法は、（ａ）前記画像再生装置を用いて前記文書をスキャンして、前記文書のデジタル画像を取得することと；（ｂ）前記文書のデジタル画像のコンテンツを解析して、所定のコンテンツを検出することと；（ｃ）前記所定のコンテンツが検出された場合に、警告を発することと；（ｄ）前記所定のコンテンツが検出されなかった場合に、前記文書のデジタル画像を印刷すること、を有する。
【００１１】
当然ながら、上記の概略的な記載と下記の詳細な記載は、例示及び説明のためのものであって、特許請求の範囲の発明について、さらなる説明の提供を意図するものである。
【発明を実施するための最良の形態】
【００１２】
本発明の実施例では、コピー機、スキャナ、プリンター又は多機能機（ＭＦＰ又はＡＩＯ（Ａｌｌ−ｉｎ−ｏｎｅ機）と呼ばれることがある、コピー、スキャン及び印刷機能を組み合わせた装置）の管理部において、あるいはコピー機、スキャナ、プリンター又はＭＦＰがアクセス可能なネットワークサーバ上で実現される、コンテンツに基づくアカウンティング方法が提供される。本方法によれば、管理部は、コピー、スキャン又は印刷された文書のコンテンツから情報を自動的に抽出し、該情報を用いてアカウンティング機能及び／又はその他の管理機能を実行する。参照が容易となるように、本開示では、“画像再生装置”という語句を用いて、コピー機、スキャナ、プリンター、多機能機、あるいはコピー、スキャンもしくは印刷機能またはこれらの機能の組み合わせを有するその他の装置を表す。
【００１３】
図２に、本発明のコンテンツに基づくアカウンティング方法を実行する画像再生装置１０１を含む、データ処理システムを概略的に図示する。画像再生装置１０１は、任意で１つ以上のクライアントコンピュータ１０２及び／又は１つ以上のサーバ１０３に、ネットワーク１０４によって接続されている。あるいは、ケーブル（図示せず）などの直接接続によってクライアントコンピュータ又はサーバに接続されてもよい。画像再生装置１０１は、コンテンツに基づくアカウンティング方法を実行する、ハードウェア、ソフトウェア又はファームウェアにより実現される管理部１１１を有する。管理部１１１は、装置１０１に保存されるアカウンティングデータベース１１２を維持、更新する。また、画像再生装置１０１は、物理媒体（例えば、紙）をスキャンしてデジタル画像を生成するスキャン部１１４、及び／又はデジタル画像データから物理媒体上に画像を作成する印刷部１１５を有する。スキャナ専用機は印刷部を有さず、プリンター専用機はスキャン部を有さないが、コピー機又はＭＦＰはスキャン部と印刷部の双方を有する。また、画像再生装置１０１は、画像処理部１１３、及びメモリ、Ｉ／Ｏ部、制御部、追加のデータ処理部などのその他の必要または所望の構成要素（図２にて図示せず）を有する。スキャン部１１４、印刷部１１５、メモリ、Ｉ／Ｏ部、制御部及びデータ処理部は、従来のコピー機、スキャン、プリンター及びＭＦＰにも共通して見られる要素である。
【００１４】
管理部１１１及びアカウンティングデータベース１１２は、図２において画像再生装置１０１に在駐するものとして示されているが、装置がネットワークに接続されている場合、管理部１１１及びアカウンティングデータベース１１２は、ネットワークに接続されたリモートサーバ１０３又はクライアントコンピュータ１０２上に在駐してもよい。このような構成を用いれば、同一のネットワークに接続された複数の画像再生装置（大組織によくあるケース）を統括的に管理することができ、アカウンティング情報は、サーバ１０３上に位置する管理部１１１に集められ、蓄えられる。
【００１５】
アカウンティングデータベース１１２は、ユーザーアカウント（個々のユーザー、ユーザーのグループ、プロジェクトなどを含む）を含み、各アカウントについて使用機器の情報が保存される。例えば、データベースには、各ユーザーのコピー、スキャン又は印刷ページ数が保存されうる。また、以下にも記載するが、画像再生装置はコピー、スキャン又は印刷された文書のコンテンツを解析して、コンテンツのグループ分けに基づいて使用情報をアカウンティングデータベースに保存する。例えば、データベースには、ユーザー毎に、特定のプロジェクト又は特定の主題などに関連する、コピー／スキャン／印刷された写真のページ数や、コピー／スキャン／印刷された文書の数などを保存することができる。所有者が共通であり、同時係属中である２００７年３月２７日出願のアメリカ特許出願１１／６９１６５６には、コピー機が自動的に以前にコピーした文書の画像を保存し、グループ分け及び索引作成を行って以後の再印刷に用いる方法が記載されている。本発明の実施例では、コピー、スキャン又は印刷された文書を、画像再生装置において保存あるいは索引作成する必要はなく（行ってもよい）、代わりにそれらのコンテンツの情報が抽出されて、アカウンティングデータベース１１２の更新に用いられる。
【００１６】
図１Ａに、本発明の実施例に係る、コンテンツに基づくアカウンティング方法を図示する。ＭＦＰ装置を例として用いるが、本方法はコピー専用機、スキャナ専用機、又はプリンター専用機においても実行することができる。図１Ａに示すように、コピー、スキャン又は印刷処理が開始されるたびに、管理部１１１は、その操作を行っているユーザーのユーザーＩＤを取得する（ステップＳ１１）。コピー又はスキャン処理に際し、ユーザーＩＤは、典型的には、画像再生装置において、ユーザーが該画像再生装置のユーザーインターフェイス又はそこに取り付けられた入力装置を用いて実行するログオン処理から取得される。印刷処理に際し、その動作は典型的にはクライアントコンピュータから開始され、ユーザーＩＤはクライアントコンピュータから取得することができる。実行する処理がコピー（すなわち、物理的な文書の物理的なコピーの作成）、又はスキャン（すなわち、物理的な文書からデジタルファイルを作成するが、物理的なコピーは作成しない）である場合（ステップＳ１２：“Ｙ”）、画像再生装置はコピー又はスキャン処理を行い（図１Ａに工程は図示せず）、コピー又はスキャンされる物理的な文書からデジタル画像の文書が生成されることになる。コピー処理においても、デジタル画像が生成される。これは、まず物理的な文書をスキャンしてデジタル画像データを作成し、次いで該デジタル画像データから文書の物理的なコピーを印刷することによりコピーが行われるためである。管理部は、コピー又はスキャン動作において得られたデジタル画像を分割する（ステップＳ１３）。このステップでは、文書画像は、まずテキスト及び非テキスト領域に分割される。次いで、テキスト領域は、ＯＣＲに提供するために、さらに純テキスト部分、数学式、表などに分割される。非テキスト領域は、さらに画像、グラフ等に分割してもよい。次に、非テキスト部分について、レイアウト解析、論理解析及び意味解析を必要に応じて行うことができる。文書分割ステップの結果、文書画像中に１つ以上のテキスト領域が存在すると判定された場合（ステップＳ１４：“Ｙ”）、ＯＣＲ（光学文字認識）処理を実行して、デジタル画像からテキスト情報を抽出する（ステップＳ１５）。デジタル画像中のテキストと非テキストとの区別する技術、及びデジタル画像からのテキスト情報の抽出する技術は、公知である。
【００１７】
テキスト情報を抽出した後、管理部はテキストマイニングを行い（ステップＳ１６）、文書のコンテンツについての情報を取得する。テキストマイニングとは、一般的には、入力テキストを自動的に解析して情報を抽出することによって、未知の情報を発見することを指す。それは、概念抽出、文書の概略化及びその他の関連するタスクを広く含む。ステップＳ１６は、既存のテキストマイニング技術を用いて実行されるが、ユーザーや組織における特定の要求にあわせて調整することもでき、そうした技術には所定の分類のコンテンツに基づく所定のテキスト配列の検索や、その他の特定の情報の検索などが含まれる。テキストマイニングステップＳ１６において取得された情報は、タイトル、主題、著者、時刻スタンプ、ルーティング情報、参照コード、文書の種類、文書が属する組織又はプロジェクト、キーワード、文書のコンテンツの分類、及び文書のコンテンツに関連するその他の情報を含みうる。文書レイアウトの解析、論理解析などの技術をテキストマイニングと共に用いて、コンテンツ情報を取得することもできる。
【００１８】
テキストマイニングステップＳ１６において取得した情報は、文書のコンテンツによるグループ分けの実行（ステップＳ１７）、すなわち文書をコンテンツにより分類してコンテンツ群に割り当てること、に用いられる。コンテンツ群は、ユーザー又は組織の要望に応じてあらかじめ規定してもよい。例えば、特定のプロジェクトに関連する文書をあるコンテンツ群と規定し、法律文書を他のコンテンツ群と規定するなどとしてもよい。ここで、文書のグループ分けにおいて、文書の画像そのものを保存する必要はない。次いで管理部は、アカウンティングデータベースに保存されているユーザーのアカウント（あるいはユーザーグループ、プロジェクト等のアカウント）を、文書のコンテンツによるグループ分け情報及びその他の関連情報を用いて更新する（ステップＳ１８）。その他の関連情報は、文書のページ数、文書のコピーに用いた紙の紙サイズ／紙重量／紙種などを含み、画像再生装置から取得される。従って、例えば管理部は、ユーザーがプロジェクトＡのプレゼンテーションを、ある種類の紙を２０枚用いてコピーした、と記録することができる。
【００１９】
ステップＳ１４において、文書画像にテキスト領域が存在しないと判定された場合（ステップＳ１４：“Ｎ”）、ステップＳ１５及びＳ１６は省略される。管理部は、文書の非テキストコンテンツに基づいて、コンテンツによるグループ分けを行い、図形、写真（さらに人物画像、風景画像等に分類しうる）などに分類することができる。次いで管理部は、コンテンツによるグループ分け情報を用いてアカウンティングデータベースのアカウントを更新する（ステップＳ１８）。例えば、管理部は、ユーザーが人物写真をコピーした、と記録することができる。
【００２０】
コピーやスキャンではなく、印刷処理（すなわち、デジタルデータから文書の物理的なコピーを作成する）が開始された場合（ステップＳ１２：“Ｎ”、ステップＳ１９：“Ｙ”）、画像再生装置はデジタル文書を受け取って、それを印刷する（図１Ａにはステップを図示せず）。管理部は、デジタル文書を検査して、文書中に１つ以上のテキストオブジェクトが存在するかどうかを判定する（ステップＳ２０）。存在する場合（ステップＳ２０：“Ｙ”）、管理部はテキストマイニングを実行し（ステップＳ１６）、コピー／スキャンにおいて上述したコンテンツによるグループ分け（ステップＳ１７）及びアカウントの更新（Ｓ１８）を行う。プリントされる文書にテキストオブジェクトが存在しない場合（ステップＳ２０：“Ｎ”）、ステップＳ１６は省略され、管理部は文書の非テキストオブジェクトに基づいてコンテンツによるグループ分けを行い（ステップＳ１７）、アカウントを更新する（ステップＳ１８）。図１Ａには示されていないが、印刷処理において印刷部に供給されたデジタル文書は、テキストコンテンツを含むデジタル画像であってよい。この場合、デジタル文書（デジタル画像）は、適切なＯＣＲステップも含め、コピー又はスキャン処理においてスキャン部により生成されるデジタル画像の場合と同様に処理されてもよい。
【００２１】
ユーザーがさらなるコピー、スキャン又はプリント処理を所望の場合は、ステップＳ１２〜Ｓ２０が繰り返されてもよい。
【００２２】
テキストマイニングステップ（ステップＳ１６）において得られたテキスト情報に基づいて、任意のクリティカルチェック処理を行ってもよい。図１Ｂにこの処理をしめす。この処理は、図１ＡのステップＳ１６の後のどのタイミングでも実行してもよい。クリティカルチェック処理では、異常なコンテンツ（例えば、暴力、わいせつ、人種的憎悪など（ステップＳ２１）、非承認又は秘密情報（ステップＳ２２）、著作権に係わるもの（ステップＳ２３）等）といった種々の基準を用いてテキスト情報のコンテンツをチェックすることができる。この基準は、画像再生装置のユーザー又は管理者が規定してもよい。画像再生装置は、コピー、スキャン又は印刷する文書にこれらの情報のいずれかが検出された場合、ユーザー又は管理者に警告を発する、ユーザー又はその他の人が後に確認できるように警告を記録する、あるいはコピー、スキャン又は印刷処理を中断するようにプログラムしてもよい（ステップＳ２４）。コピー、スキャン又は印刷された文書のデジタル画像は、任意で記録として装置内に保持されてもよい。
【００２３】
本発明の実施例に係るコンテンツに基づくアカウンティング方法は、画像再生装置が使用される様々な設定状況において有用である。複数の画像再生装置がネットワークを介して接続される大組織において用いられる場合、コンテンツに基づくアカウンティングは、組織内でのアカウンティング及びその他の管理目的に有用である。画像再生装置が小売業環境において使用される場合、小売ユーザーはコピー、スキャン又は印刷された文書から抽出されたコンテンツを解析して、マーケティング目的のための情報を得ることができる。
【００２４】
上述のように、管理部１１１は、画像再生装置１０１から離れたサーバ１０３上に位置してもよい。管理部の種々の機能は、ＯＣＲモジュール、テキストマイニングモジュール、アカウンティングデータベースを更新するデータベースモジュールなどの、別々のモジュールにより実行されてもよい。あるいは、図１Ａ及び１Ｂに示す種々のステップは、画像再生装置１０１及びサーバ１０３／クライアント１０２の処理機能を用いて、分散した形で実行されてもよい。例えば、ＯＣＲステップ（ステップＳ１５）は画像再生装置により実行され、テキストマイニング（ステップＳ１６）及びそれに続くステップはサーバにより実行されてもよく、この場合テキストデータを画像形成装置からサーバに送るだけでよい。
【００２５】
本発明の精神及び範囲内において、本発明のコンテンツに基づくアカウンティング方法に種々の改変及び変形を加えうることは、当業者にとって当然である。従って、本発明は、特許請求の範囲及びその均等物の範囲内となる改変例や変形例を包含することが意図されている。
【図面の簡単な説明】
【００２６】
【図１Ａ】本発明の実施例に係る、コピー機、スキャナ、プリンター又はＭＦＰにおけるコンテンツに基づくアカウンティング方法を示す図である。
【図１Ｂ】本発明の実施例に係る、コピー機、スキャナ、プリンター又はＭＦＰにおけるコンテンツに基づくアカウンティング方法を示す図である。
【図２】本発明の実施例に係るコンテンツに基づくアカウンティング方法を実行することができる、コピー機、スキャナ、プリンター又はＭＦＰを含むデータ処理システムの概略図である。
【図１Ａ】
2008271534.tif 000003
【図１Ｂ】
2008271534.tif 000004
【図２】
2008271534.tif 000005
【外国語明細書】
2008271534000001.pdf
2008271534000002.pdf
2008271534000003.pdf
2008271534000004.pdf